(57)【特許請求の範囲】
【請求項１】
薬剤を収容する内部空間と、該内部空間に連通した一方の接続口及び他方の接続口とを有する容器を支持する容器ホルダにおいて、
前記容器の他方の接続口側端部を支持するとともに、前記他方の接続口と接続し得る他方のポートを有した固定フレームと、
前記容器の一方の接続口側端部を支持するとともに、前記一方の接続口と接続し得る一方のポートを有した可動フレームと、
前記固定フレームに対して前記可動フレームを揺動自在に連結し、当該可動フレームが揺動して前記容器の一方の接続口に対して前記一方のポートを接続又は離間可能とする揺動手段と、
を備え、前記容器が取り外された際、前記可動フレームを揺動させて、前記一方のポートを前記他方のポートに接続可能とされ、当該容器を介さずに流体を連通させ得ることを特徴とする容器ホルダ。
【請求項２】
前記可動フレームが前記固定フレーム側に対して揺動する方向に荷重を付与する荷重付与手段が設けられたことを特徴とする請求項１記載の容器ホルダ。
【請求項３】
前記可動フレームの前記固定フレーム側への揺動動作を緩慢とする緩衝手段を具備したことを特徴とする請求項２記載の容器ホルダ。
【請求項４】
前記一方のポートを他方のポートに接続する際、当該一方のポートが他方のポートと対向する側へ向くよう付勢する付勢手段を設けたことを特徴とする請求項１〜請求項３のいずれか１つに記載の容器ホルダ。
【請求項５】
前記容器の一方の接続口と一方のポート、又は容器の他方の接続口と他方のポートとを離間させ、前記固定フレーム又は可動フレームによる当該容器の支持を解除する解除手段が設けられたことを特徴とする請求項１〜請求項４のいずれか１つに記載の容器ホルダ。
【発明の詳細な説明】
【０００１】
【発明の属する技術分野】
本発明は、薬剤を収容する内部空間と、該内部空間に連通した一方の接続口及び他方の接続口とを有する容器を支持する容器ホルダに関する。
【０００２】
【従来の技術】
医療現場において腎不全患者の治療等に使用される透析液は、一般に重炭酸塩系と酢酸系とに区分され、このうち重炭酸塩系の透析液は、重炭酸ナトリウムを含まないもの（以下、Ａ剤という。）と、重炭酸ナトリウム（以下、Ｂ剤という。）の２種類の薬剤に水を混合して調整されるものである。然るに、近年、運搬性向上の観点から、Ｂ剤及びその他薬剤を粉末化し、用事溶解して濃厚液を作成し、更に希釈して所定濃度の透析液を調整し、治療に使用される場合が多くなっている。
【０００３】
ここで使用される透析用粉末薬剤は、樹脂製容器の内部空間にそれぞれ収容され、その容器が透析装置の容器ホルダに支持されている。かかる樹脂製容器には、その内部空間に連通して溶解用の水を導入し得る入口と、溶解後の原液を導出して透析装置側に供給し得る出口とが、その上端及び下端にそれぞれ形成されている。
【０００４】
このうちＢ剤を収容する容器ホルダは、容器の上端側を支持する上側フレームに入口と接続し得る入口ポートが形成されるとともに、当該容器の下端側を支持する下側フレームに出口と接続し得る出口ポートが形成されており、入口ポート及び出口ポートを介してＢ剤の溶解を行う一方、当該容器が取り外された際には、入口ポートと出口ポートとが接続されて、入口ポートからの溶解用の水が出口ポートに通過し得るよう構成されている。
【０００５】
従来のＢ剤の容器ホルダは、例えば特表平１１−５０８４６９号公報で開示されている。この公報によれば、導入ポートを有する上側フレームと導出ポートを有する下側フレームとを所定間隔離間させつつ対向配置しておき、上下に一直線状に延設されたレール上を上側フレームが摺動することにより、当該上側フレームを固定された下側フレームに対し近接又は離間させていた。
【０００６】
これにより、容器を支持しつつ溶解用の水を入口から導入して出口から溶解後の原液を導出させるとともに、容器を取り外した後においては、上側フレームを下側フレームに近接させて入口及び出口に対し導入ポート及び導出ポートを接続させることができる。尚、上側フレームを摺動させた後、所定の位置となった場合には、当該上側フレームに形成されたピン状部材をレールに形成された穴に係止することによりロックするよう構成されていた。
【０００７】
【発明が解決しようとする課題】
しかしながら、上記従来の容器ホルダにおいては、上側フレームを上下方向に摺動させるための機構が必要であるため、構成が複雑化してしまうという問題があった。即ち、上側フレームを下側フレームに対して正確に摺動させるためには、高剛性なガイドや動作を円滑にするための摺動機構が必要な上、当該上側フレームを所定位置に係止するロック機構が必要となって構成が複雑化してしまうのである。
【０００８】
また、上記従来の容器ホルダにて上側フレームを所定位置にロックするには、ピン状部材をレール上に形成された穴に係止しているが、この穴はピン状部材を挿通する必要上径をある程度大きくとらなければならず、レール上に形成し得る数に限りがある。従って、穴は必要最低限必要な箇所（例えば上端と下端）のみにしか形成することができず、全長が若干異なった容器を支持することが困難となっていた。
【０００９】
本発明は、このような事情に鑑みてなされたもので、一方の接続口及び他方の接続口を具備した容器を簡単な構成で支持しつつ、一方の接続口及び他方の接続口をそれぞれポートと接続させることができる容器ホルダを提供することにある。
【００１０】
【課題を解決するための手段】
請求項１記載の容器ホルダは、薬剤を収容する内部空間と、該内部空間に連通した一方の接続口及び他方の接続口とを有する容器を支持する容器ホルダにおいて、前記容器の他方の接続口側端部を支持するとともに、前記他方の接続口と接続し得る他方のポートを有した固定フレームと、前記容器の一方の接続口側端部を支持するとともに、前記一方の接続口と接続し得る一方のポートを有した可動フレームと、前記固定フレームに対して前記可動フレームを揺動自在に連結し、当該可動フレームが揺動して前記容器の一方の接続口に対して前記一方のポートを接続又は離間可能とする揺動手段とを備え、前記容器が取り外された際、前記可動フレームを揺動させて、前記一方のポートを前記他方のポートに接続可能とされ、当該容器を介さずに流体を連通させ得ることを特徴とする。
【００１１】
かかる構成によれば、固定フレームにて容器の他方の接続口側端部を支持しつつ他方のポートを他方の接続口に接続した後、可動フレームを固定フレームに対して揺動させ、容器の一方の接続口側端部を可動フレームが当接して支持させるとともに、一方のポートに容器の一方の接続口を接続させる。尚、収容空間に収容される薬剤は、液体又は粉体のいずれであってもよい。
【００１３】
請求項２記載の発明は、請求項１記載の容器ホルダにおいて、前記可動フレームが前記固定フレーム側に対して揺動する方向に荷重を付与する荷重付与手段が設けられたことを特徴とする。
【００１４】
請求項３記載の発明は、請求項２記載の容器ホルダにおいて、前記可動フレームの前記固定フレーム側への揺動動作を緩慢とする緩衝手段を具備したことを特徴とする。
【００１５】
請求項４記載の発明は、請求項１〜請求項３記載の容器ホルダにおいて、前記一方のポートを他方のポートに接続する際、当該一方のポートが他方のポートと対向する側へ向くよう付勢する付勢手段を設けたことを特徴とする。
【００１６】
請求項５記載の発明は、請求項１〜請求項４記載の容器ホルダにおいて、前記容器の一方の接続口と一方のポート、又は容器の他方の接続口と他方のポートとを離間させ、前記固定フレーム又は可動フレームによる当該容器の支持を解除する解除手段が設けられたことを特徴とする。
【００１７】
【発明の実施の形態】
以下、本発明の実施形態について図面を参照しながら具体的に説明する。
本実施形態の容器ホルダは、透析装置におけるＢ剤を収容した容器を支持するもので、図１に示すように、先端に導出ポート（他方のポート）６を有する固定フレーム２と、先端に導入ポート（一方のポート）５を有する可動フレーム３と、揺動手段４とから主に構成されており、容器Ｃの上端及び下端を支持するものである。
【００１８】
容器Ｃは、ポリプロピレンなどの樹脂を射出成形した樹脂成形品から成り、図２で示すように、粉末状のＢ剤（薬剤）を収容する内部空間Ｃ１を有するとともに、その上端ａにはＢ剤を溶解するための水を導入する入口（一方の接続口）Ｃ２、下端ｂには溶解した原液を導出するための出口（他方の接続口）Ｃ３が形成されている。かかる容器Ｃは、透析における所定回数分のＢ剤が充填され、当該Ｂ剤がなくなった後においては使い捨てされるものである。
【００１９】
尚、入口Ｃ２及び出口Ｃ３は、容器ホルダ１にセットされるまで遮蔽されて内部空間Ｃ１が液密状態とされているとともに、容器ホルダ１にセットされる際に導入ポート５及び導出ポート６の管５ａ及び６ａ（図３及び図４参照）で遮蔽部が破られ、入口Ｃ２及び出口Ｃ３が開放されるよう構成されている。
【００２０】
固定フレーム２は、上下方向に延設されるとともに、下端側で略水平方向に突出した突出部材２ａが形成されている。この突出部材２ａの突端側面からは、２枚の下側部分９が略水平方向に連結されており、かかる下側部分９に導出ポート６が回動自在に取り付けられている。尚、同図中符号９ａは、導出ポート６の回動軸を示している。
【００２１】
導出ポート６は、図３に示すように、容器Ｃの出口Ｃ３と接続し得る管６ａが配設され、かかる管６ａの下端が可撓性チューブ１０と接続され得るよう構成されている。即ち、内部空間Ｃ１で溶解した原液が管６ａ及び可撓性チューブ１０を経て、図示しない透析装置に流動されるのである。尚、同図中符号６ｂは、容器Ｃの出口Ｃ３と管６ａが接続した際、流動する原液の漏れを防止するシール材としてのＯリングを示している。
【００２２】
可動フレーム３は、固定フレーム２上に形成されて当該固定フレーム２に対し揺動自在に支持されるとともに、上端側で略水平方向に突出して形成されている。かかる突端から上側部分８が略水平方向に連結されており、該上側部分８に導入ポート５が回動自在に取り付けられている。尚、図１中符号８ａは、導入ポート５の回動軸を示している。
【００２３】
導入ポート５は、図４に示すように、容器Ｃの入口Ｃ２と接続し得る管５ａが配設され、かかる管５ａの上端が可撓性チューブ１０と接続され得るよう構成されている。即ち、図示しない水源から流動された可撓性チューブ１０及び管５ａを経て、容器Ｃの内部空間Ｃ１内に導入されるのである。尚、同図中符号５ｂは、容器Ｃの入口Ｃ２と管５ａが接続した際、流動する水の漏れを防止するシール材としてのＯリングを示している。
【００２４】
揺動手段４は、固定フレーム２に対して可動フレーム３を揺動自在に連結し、当該可動フレーム３が揺動して容器Ｃの入口Ｃ２に対して導入ポート５を接続又は離間可能とするものである。具体的には、図５に示すように、固定フレーム２上端の突起部ｃと可動フレーム３下端の突起部ｄとを連通した揺動軸４ａと、これら固定フレーム及び可動フレーム３の側面に形成された当板４ｂとから構成され、可動フレーム３の固定フレーム２に対する揺動が可能とされている。
【００２５】
かかる揺動動作によって、容器Ｃの上端ａは導入ポート５を介して可動フレーム３に支持されるとともに、下端ｂは導出ポート６を介して固定フレーム２に支持されることとなる。一方、容器Ｃが容器ホルダ１から取り外された際、可動フレーム３を揺動させて、図６に示すように、導入ポート５を導出ポート６に接続可能とされており、容器Ｃを介さずに流体を導出ポート６側に連通させることができるよう構成されている。
【００２６】
また、揺動軸４ａには、荷重付与手段としてのトーションバネ１３が配設されており、かかるトーションバネ１３により可動フレーム３が固定フレーム２側に対して常に揺動する方向に荷重が付与されている。これにより、容器ホルダ１が容器Ｃを支持する際には、当該容器Ｃの上方向から荷重が付与され、強く挟持することが可能であるとともに、容器Ｃを取り外した後においては、可動フレーム３が図７中矢印方向に揺動して、導入ポート５が導出ポート６に自動的に接続させることができる。
【００２７】
このように、容器Ｃを取り外すと自動的に可動フレーム３が揺動して導入ポート５が導出ポート６に自動的に接続するので、接続し忘れを防止することができるとともに、導入ポート５及び導出ポート６が長時間外部に露出した状態が回避され、衛生面でも有利とすることができる。尚、かかるトーションバネ１３に代えて、錘等を上側部分８から吊り下げ、可動フレーム３が固定フレーム２側に対して揺動する方向に荷重を付与するようにしてもよい。
【００２８】
更に、揺動軸４ａの一端（図５中左端）には、トーションバネ１３によって行われる可動フレーム３の固定フレーム２側への揺動動作を緩慢とする緩衝手段としてのトルクダンパ１２が配設されている。かかるトルクダンパ１２により、導入ポート５が導出ポート６に接続される際の衝撃を抑制することができ、これらポートの破損等を防止することができる。尚、トルクダンパ１２に代えてショックアブゾーバ等を配設することにより、可動フレーム３の固定フレーム２側への揺動動作を緩慢とするようにしてもよい。
【００２９】
上記実施形態に係る容器ホルダ１によれば、可動フレーム３を揺動させて導入ポート５を容器の入口Ｃ２に接続させるので、可動フレームを摺動させて接続するものに比べて、装置構成を簡単にすることができるとともに、可動フレーム３の揺動角を任意に設定することができるので、高さ方向が異なった寸法の容器であったとしても、確実に接続させることができる。
【００３０】
更に、本発明に係る他の実施形態として、図７に示すように、付勢手段としてのコイルスプリング１５を可動フレーム３及び固定フレーム２の先端と導入ポート５及び導出ポート６とに跨って配設してもよい。ここで、導入ポート５及び導出ポート６は、コイルスプリング１５により、互いに接続されたときの向き（図６に示す向き）を中立位置とされている。
【００３１】
これにより、導入ポート５と導出ポート６との接続時、これらの軸芯が一致するよう自動調芯されるとともに、導入ポート５が導出ポート６から離間した状態において、図７で示すように、各ポートが外側を向いた状態となるので、容器Ｃの各ポートへの接続を容易とし、容器Ｃの取り付け時における作業性を向上させることができる。尚、かかるコイルスプリング１５に代えて、各ポートを図７の状態に付勢することができるもの（例えば板バネ等）とすることができる。
【００３２】
また、図８に示すように、上側部分８に容器ホルダ１による容器Ｃの支持を解除する解除手段１６を設けるようにしてもよい。かかる解除手段１６は、同図に示すように、容器Ｃの上端ａと当接し得る先端１６ａと、該先端１６ａを軸１６ｃを中心に回動させる操作部１６ｂとから構成されており、先端１６ａが容器Ｃの上端ａに当接した状態で操作部１６ｂを同図の矢印方向に揺動させることにより、図９に示すように、容器Ｃの入口Ｃ１を導入ポート５から離間させて支持を解除することができる。
【００３３】
かかる解除手段１６により、容器ホルダ１から容器Ｃを取り外す際の作業性を向上させることができる。尚、かかる解除手段１６を固定フレーム２側に設け、容器Ｃの出口Ｃ３と導出ポート６とを離間させるよう構成してもよい。
【００３４】
以上、発明に係る実施形態について説明したが、本発明はこれに限定されるものではなく、例えばＢ剤用の容器以外の容器を支持するものに適用してもよい。即ち、薬剤を収容する内部空間と、該内部空間に連通した入口及び出口とを有する容器であれば、他の形態のものであってもよいのである。勿論、入口と出口とを逆のポートに接続するよう構成された容器ホルダとしてもよい（即ち、上記実施形態では便宜上、入口を一方の接続口、出口を他方の接続口、一方のポートを導入ポート、及び他方のポートを導出ポートとしているが、それぞれを逆としてもよい。）。
【００３５】
【発明の効果】
請求項１の発明によれば、可動フレームを固定フレームに対して揺動させ、容器の一方の接続口側端部を可動フレームが当接して支持させるとともに、一方のポートに容器の一方の接続口を接続させているので、可動フレームを摺動させるものに比べ、一方の接続口及び他方の接続口を具備した容器を簡単な構成で支持しつつ、一方の接続口及び他方の接続口をそれぞれポートと接続させることができる。また、容器の寸法誤差、異なる高さの容器にも自在に対応可能である。
【００３６】
また、請求項１の発明によれば、容器が取り外された際、可動支持部を揺動させて、一方のポートを他方のポートに接続可能とされ、当該容器を介さずに流体を連通させ得るので、容器を支持していない際には、一方のポートから導かれた液体を他方のポートへ通過させることができる。従って、一方のポートからの液体を容器を経て他方のポートから導出する場合と、容器を経ないで一方のポートからの液体を通過させる場合との選択を必要とするような容器ホルダ（例えば、透析装置におけるＢ剤を収容した容器等を支持する容器ホルダ）に適用すれば有利である。
【００３７】
請求項２の発明によれば、荷重付与手段によって、可動フレームが固定フレーム側に対して揺動する方向に荷重を付与しているので、固定フレームで容器を支持している際には当該容器を強く挟持することができるとともに、容器が取り外された際には可動フレームを固定フレーム側に自然と揺動させて、一方のポートを他方のポートに接続することができる。
【００３８】
請求項３の発明によれば、緩衝手段によって、可動フレームの固定フレーム側への揺動動作を緩慢としているので、当該可動フレームが荷重付与手段の作用によって揺動して、固定フレームの他方のポートに一方のポートが当接する際の衝撃を緩和することができる。
【００３９】
請求項４の発明によれば、付勢手段によって、一方のポートが常時他方のポートと対向する側へ向くよう付勢しているので、一方のポートが他方のポートと接続される際や一方のポートが容器の一方の接続口と接続される際、軸心を一致させ、接続をスムーズにすることができる。
【００４０】
請求項５の発明によれば、解除手段によって、容器の一方の接続口と一方のポート、又は容器の他方の接続口と他方のポートとを離間させ、固定フレーム又は可動フレームによる当該容器の支持を容易に解除することができるので、容器ホルダから容器を取り外す際の作業性を向上させることができる。
【図面の簡単な説明】
【図１】本発明の実施形態に係る容器ホルダを示す斜視図
【図２】本発明の実施形態に係る容器ホルダで支持される容器を示す側面図
【図３】本発明の実施形態に係る容器ホルダにおける導出ポートを示す断面図
【図４】本発明の実施形態に係る容器ホルダにおける導入ポートを示す断面図
【図５】本発明の実施形態に係る容器ホルダの背面図
【図６】本発明の実施形態に係る容器ホルダを示す右側面図
【図７】本発明の他の実施形態に係る容器ホルダを示す右側面図
【図８】本発明の他の実施形態に係る容器ホルダにおける解除手段を示す右側面図
【図９】図８における解除手段を回動させた後を示す右側面図
【符号の説明】
１…容器ホルダ
２…固定フレーム
３…可動フレーム
４…揺動手段
５…導入ポート
６…導出ポート
８…上側部分
９…下側部分
１０、１１…可撓性チューブ
１２…トルクダンパ（緩衝手段）
１３…トーションバネ（荷重付与手段）
１４…揺動軸
１５…コイルスプリング（付勢手段）
１６…解除手段
Ｃ…容器
Ｃ１…内部空間
Ｃ２…入口（一方の接続口）
Ｃ３…出口（他方の接続口）
【図１】
0004101513.tif 000002
【図２】
0004101513.tif 000003
【図３】
0004101513.tif 000004
【図４】
0004101513.tif 000005
【図５】
0004101513.tif 000006
【図６】
0004101513.tif 000007
【図７】
0004101513.tif 000008
【図８】
0004101513.tif 000009
【図９】
0004101513.tif 000010